(57)【要約】【課題】  冷蔵庫において、受け皿が傾くことに起因した問題が発生することを抑制するための技術を提供する。【解決手段】  冷蔵庫は、冷蔵庫本体の機械室内にコンプレッサが設置されており、冷蔵庫本体内の排水経路から水を受ける受け皿であって、機械室内に配置されている受け皿を備えており、受け皿は、受け皿の前側を機械室内に固定するための前側固定部と、受け皿の後側を機械室内に固定するための後側固定部と、を備えている。【選択図】図２
2020094723.tif 000002
【特許請求の範囲】
【請求項１】
冷蔵庫本体の機械室内にコンプレッサが設置されている冷蔵庫であって、
前記冷蔵庫本体内の排水経路から水を受ける受け皿であって、前記機械室内に配置されている受け皿を備えており、
前記受け皿は、
前記受け皿の前側を前記機械室内に固定するための前側固定部と、
前記受け皿の後側を前記機械室内に固定するための後側固定部と、
を備えている、冷蔵庫。
【請求項２】
前記前側固定部の上端と前記後側固定部の上端は、前記機械室の上壁に固定されている、請求項１に記載の冷蔵庫。
【請求項３】
前記前側固定部の上端と前記上壁の前側のうちの一方には、前記前側固定部の上端と前記上壁の前側の他方に設けられている前側受け部の内面に掛かる前側爪が設けられており、
前記後側固定部の上端と前記上壁の後側のうちの一方には、前記後側固定部の上端と前記上壁の後側のうちの他方に設けられている後側受け部の内面に掛かる後側爪が設けられている、請求項２に記載の冷蔵庫。
【請求項４】
前記前側爪は、前側に延びており、
前記前側爪は、前記受け皿が前後方向に沿って前記機械室内に挿入される際に、前記前側受け部内に挿入されて、前記前側受け部の内面に掛かる、請求項３に記載の冷蔵庫。
【請求項５】
前記後側爪は、前記前側爪が前記前側受け部内に挿入された後に、前記後側受け部内に挿入されて、前記後側受け部の内面に掛かる、請求項３又は４に記載の冷蔵庫。
【請求項６】
前記前側固定部と前記後側固定部のうちの少なくとも一方の固定部は、前記一方の固定部の上下の長さを調整するための調整部を備えている、請求項１から５のうちのいずれか一項に記載の冷蔵庫。
【請求項７】
前記受け皿の材料は、難燃材料である、請求項１から６のうちのいずれか一項に記載の冷蔵庫。
【発明の詳細な説明】
【技術分野】
【０００１】
本明細書に開示する技術は、受け皿を備える冷蔵庫に関する。
【背景技術】
【０００２】
特許文献１は、コンプレッサの上側に配置されている蒸発皿を備える冷蔵庫を開示する。蒸発皿内に溜まる除霜水は、コンプレッサの熱によって蒸発する。蒸発皿は、蒸発皿の後側に備えられた吊り下げ部材によって吊り下げられている。
【先行技術文献】
【特許文献】
【０００３】
【特許文献１】特開平１１−８３２８５号公報
【発明の概要】
【発明が解決しようとする課題】
【０００４】
特許文献１では、蒸発皿は、蒸発皿の後側の吊り下げ部材によって吊り下げられている。このため、蒸発皿内の除霜水の量が多くなると、蒸発皿が前側に傾く。蒸発皿が傾くと、例えば、除霜水が蒸発皿の外に出る、蒸発皿が他の部材（例えばコンプレッサ）に接触するなどの問題が生じる。
【０００５】
本明細書では、受け皿が傾くことに起因した問題が発生することを抑制するための技術を提供する。
【課題を解決するための手段】
【０００６】
本明細書に開示する冷蔵庫は、冷蔵庫本体の機械室内にコンプレッサが設置されており、前記冷蔵庫本体内の排水経路から水を受ける受け皿であって、前記機械室内に配置されている受け皿を備えており、前記受け皿は、前記受け皿の前側を前記機械室内に固定するための前側固定部と、前記受け皿の後側を前記機械室内に固定するための後側固定部と、を備えていてもよい。
【図面の簡単な説明】
【０００７】
【図１】冷蔵庫の断面図である。
【図２】図１の範囲IIにおいて、固定部に沿った断面を含む斜視図である。
【図３】図１の範囲IIにおいて、固定部に沿った断面図である。
【図４】前側受け部と前側固定部の斜視図である。
【図５】後側受け部と後側固定部の斜視図である。
【図６】第２実施例の固定部に沿った断面図である。
【図７】第３実施例の受け皿の前面図である。
【図８】第３実施例の前側固定部の斜視図である。
【図９】第３実施例の前側固定部の分解図である。
【図１０】第３実施例の前側固定部の断面図である。
【発明を実施するための形態】
【０００８】
（第１実施例）
（冷蔵庫１０の構成）
図面を参照して、第１実施例の冷蔵庫１０について説明する。図１に示すように、冷蔵庫１０には、その内部に、冷凍室１２、冷蔵室１３が設けられている。冷凍室１２は冷凍温度帯の貯蔵室であり、冷蔵室１３は冷蔵温度帯の貯蔵室である。冷凍室１２は、最上段に設けられている。冷凍室１２の下段には、冷蔵室１３が設けられている。なお、図中には、ＸＹＺ座標が記載されており、Ｘ軸方向は、冷蔵庫１０の左右方向を示し、Ｙ軸方向は、冷蔵庫１０の前後方向を示し、Ｚ軸方向は、冷蔵庫１０の上下方向を示す。
【０００９】
冷蔵庫１０の下後側（即ちＹ軸負方向かつＺ軸負方向の側）には、機械室２０が設けられている。機械室２０内には、コンプレッサ６０が設置されている。コンプレッサ６０は、冷蔵庫１０の冷却サイクルにおける圧縮機である。図２に示すように、機械室２０の内壁は、水平な上壁２２と、上壁２２よりも前側に位置する側壁２４を備える。側壁２４は、上部よりも下部が前側に位置するように傾斜している。
【００１０】
図１に示すように、機械室２０内には、さらに、受け皿４０が配置されている。受け皿４０は、冷凍室１２内で発生した除霜水を溜めるための皿である。受け皿４０は、コンプレッサ６０の上側に配置されている。このため、受け皿４０は、コンプレッサ６０から発生した熱を受けて加熱される。これにより、受け皿４０に溜まった除霜水が蒸発する。受け皿４０の詳細な構成については、後述する。
【００１１】
冷凍室１２の下後方からは、冷凍室１２内で発生した除霜水を排出するための排水管１４が延びている。排水管１４の排水口は、受け皿４０の上側に位置している。排水管１４の排水口から排出された除霜水は、受け皿４０で受けられる。これにより、受け皿４０に除霜水が溜まる。
【００１２】
（受け皿４０の構成）
図２、図３を参照して、受け皿４０について説明する。図２の斜視図は、後述する前側固定部４２と後側固定部４４を通過するＺＹ平面における断面を含む。図３の断面図も、図２と同様のＺＹ平面における断面を示す。図２に示すように、受け皿４０は、前側固定部４２と後側固定部４４を介して、機械室２０の内壁のうちの上壁２２（即ち機械室２０の天井）に固定されている。ここで、上壁２２には、貫通孔２２ａが形成されており、上記した排水管１４の先端が貫通孔２２ａに挿入される。これにより、受け皿４０の上側に排水管１４の先端（即ち排出口）が位置する。受け皿４０は、難燃性の樹脂材料、例えば、ポリ塩化ビニル、架橋ポリエチレン等で作られる。
【００１３】
前側固定部４２は、受け皿４０の前側上部から上側へ延びている。受け皿４０は、左右に並ぶ２個の前側固定部４２を備えている。図２、図３では、一方の側（即ちＸ軸正方向の側）の前側固定部４２が見え、他方の側（即ちＸ軸負方向の側）の前側固定部４２が見えない。以下では、便宜的に、Ｘ軸正方向の側を「左側」と記載し、Ｘ軸負方向の側を「右側」と記載する。前側固定部４２の上端には、前側に延びる前側爪４２ａが形成されている。また、機械室２０の上壁２２の前側には、前側爪４２ａを受ける前側受け部３２が取り付けられている。前側受け部３２の内面に前側爪４２ａが掛かることにより、前側固定部４２の上端が上壁２２に固定される。前側受け部３２は、例えば、受け皿４０と同じ、樹脂材料で作られる。なお、機械室２０の内壁は、例えば、鉄製の金属板を加工して作られる。前側受け部３２は、上壁２２の前側に形成された取り付け穴に挿入されて、上壁２２に取り付けられる。
【００１４】
後側固定部４４は、受け皿４０の後側上部から上側へ延びている。なお、受け皿４０は、左右に並ぶ２個の後側固定部４４を備えている。図２では、双方の後側固定部４４が見えているが、図３では、右側の後側固定部４４が見えない。左側の後側固定部４４の上端には、右側（即ち受け皿４０内に向かう側）に延びる後側爪４４ａが形成されている。また、機械室２０の上壁２２の後側には、後側爪４４ａを受ける後側受け部３４が取り付けられている。後側受け部３４の内面に後側爪４４ａが掛かることにより、後側固定部４４の上端が上壁２２に固定される。なお、右側の後側固定部４４の上端には、左側（即ち受け皿４０内に向かう側）に延びる後側爪４４ａが形成されている。即ち、右側の後側固定部４４の後側爪４４ａと左側の後側固定部４４の後側爪４４ａは、互いに向き合う。右側の後側固定部４４の後側爪４４ａも、左側の後側固定部４４の後側爪４４ａと同様に、後側受け部３４の内面に係る。
【００１５】
後側受け部３４は、前側受け部３２と同じ材料で作られる。後側受け部３４は、前側受け部３２と同様に、上壁２２に取り付けられる。
【００１６】
受け皿４０の下外面には、コンプレッサ６０の上面の形状に沿った窪み４０ｄが形成されている。これにより、コンプレッサ６０の上面から発生した熱を広い面で受けることができる。
【００１７】
（前側固定部４２、後側固定部４４の構成）
図４、図５を参照して、前側固定部４２と後側固定部４４について説明する。図４は、前側固定部４２と前側受け部３２を分解した斜視図である。なお、図４では、前側受け部３２の内側が見えるように、前側受け部３２は断面で描かれている。前側固定部４２と前側受け部３２は、左右で同じ形状である。前側受け部３２は、四角状のフランジ部３２ａと四角状の凹部３２ｂを備えている。フランジ部３２ａは、凹部３２ｂの上部開口の周囲に形成されている。フランジ部３２ａは、機械室２０の上壁２２の上面に係り、凹部３２ｂは、機械室２０の上壁２２の前側に形成された取り付け穴に挿入される（図２、図３参照）。凹部３２ｂの後側面には、後側開口３２ｃが形成されている。なお、凹部３２ｂの他の側面及び底面には、開口は形成されていない。前側固定部４２の前側に延びる前側爪４２ａは、凹部３２ｂの後側開口３２ｃから凹部３２ｂ内に挿入されて、凹部３２ｂの底面に係る。
【００１８】
図５は、後側固定部４４と後側受け部３４を分解した斜視図である。なお、図５では、後側受け部３４の内側が見えるように、後側受け部３４は断面で描かれている。図５は、左側の後側固定部４４と後側受け部３４を示す。左側の後側受け部３４は、四角状のフランジ部３４ａと四角状の凹部３４ｂを備えている。フランジ部３４ａは、凹部３４ｂの上部開口の周囲に形成されている。フランジ部３４ａは、機械室２０の上壁２２の上面に係り、凹部３４ｂは、機械室２０の上壁２２の後側に形成された取り付け穴に挿入される（図２、図３参照）。凹部３４ｂの底面の一部には、下側開口３４ｃが形成されている。下側開口３４ｃは、左側（即ちＸ軸正方向の側）に位置している。なお、凹部３４ｂの側面には、開口は形成されていない。左側の後側固定部４４の右側に延びる後側爪４４ａは、凹部３４ｂの下側開口３４ｃから凹部３４ｂ内に挿入される。この際に、後側固定部４４は、左側に曲がるように弾性変形する。後側爪４４ａが下側開口３４ｃの上縁を通過すると、後側固定部４４が復元し、後側爪４４ａが凹部３４ｂの底面に係る。
【００１９】
右側の後側受け部３４は、下側開口３４ｃが右側（即ちＸ軸負方向の側）に位置している点を除いて、左側の後側受け部３４と同様である。右側の後側固定部４４の左側に延びる後側爪４４ａは、右側に曲がるように弾性変形しながら、下側開口３４ｃから凹部３４ｂ内に挿入される。その後、左側の後側固定部４４と同様に、後側爪４４ａが凹部３４ｂの底面に係る。
【００２０】
上記したように、前側爪４２ａは前側に延びる爪であり、後側爪４４ａは、右側又は左側に延びる爪である。即ち、前側爪４２ａと後側爪４４ａは、延びる方向が異なる。また、図４、図５に示すように、前側爪４２ａの延びる長さ（即ち前後方向の長さ）は、後側爪４４ａの延びる長さ（即ち左右方向の長さ）に比べて長い。即ち、前側爪４２ａと後側爪４４ａは、形状が異なる。
【００２１】
受け皿４０は、以下の手順によってコンプレッサ６０の上側に配置される。先ず、受け皿４０は、機械室２０の後側から機械室２０の上壁２２とコンプレッサ６０の上面の間の空間に挿入される。この際、２個の前側固定部４２のそれぞれについて、前側固定部４２の前側爪４２ａが前側受け部３２の後側開口３２ｃから前側受け部３２内に挿入される。これにより、先ず、２個の前側固定部４２が上壁２２に固定される。そして、各前側爪４２ａが各前側受け部３２内に挿入された後に、２個の後側固定部４４のそれぞれについて、後側固定部４４の後側爪４４ａが後側受け部３４の下側開口３４ｃから挿入される。その後、後側爪４４ａが後側受け部３４の底面に係ることにより、２個の後側固定部４４が上壁２２に固定される。
【００２２】
（本実施例の効果）
本実施例では、受け皿４０の前側が前側固定部４２によって固定され、受け皿４０の後側が後側固定部４４によって固定される。これにより、受け皿４０内の水の量が多くなっても、受け皿４０が前側に傾くことを抑制することができる。これにより、受け皿４０内の水が受け皿４０の外に出る、受け皿４０がコンプレッサ６０に接触する等の問題に対処することができる。
【００２３】
また、受け皿４０が前側に傾いた状態が継続すると、固定部に応力が継続的に作用し、固定部が塑性変形する可能性がある。特に、受け皿４０は、コンプレッサ６０によって加熱されているので、塑性変形する可能性が高まる。本実施例の構成によれば、前側に傾くことが抑制されるので、固定部４２、４４に応力が継続的に作用することが抑制される。この結果、固定部４２、４４が塑性変形することを抑制することができる。
【００２４】
さらに、上記したように、前側固定部４２の上端と後側固定部４４の上端は、機械室２０の上壁２２に固定される。例えば、前側固定部４２の先端を機械室２０の側壁２４に固定する比較例が想定される。この比較例では、作業者は、前側固定部４２の先端を機械室２０の奥に位置する側壁２４に到達させる必要がある。これに対して、本実施例の構成によれば、作業者は、前側固定部４２の先端を側壁２４よりも手前側に位置する上壁２２の前側受け部３２に到達させればよい。作業者は、比較的手前側で前側固定部４２の先端を機械室２０の内壁に固定させる作業をすることができる。比較例と比べて、作業負担を軽減することができる。
【００２５】
さらに、上記したように、前側固定部４２には、前側受け部３２の内面に掛かる前側爪４２ａが形成されており、後側固定部４４には、後側受け部３４の内面に掛かる後側爪４４ａが形成されている。例えば、ネジ等の部材を利用して受け皿４０を上壁２２に固定する方法と比較して、簡易に受け皿４０を上壁２２に固定させることができる。
【００２６】
さらに、上記したように、後側爪４４ａは、前側爪４２ａが前側受け部３２の後側開口３２ｃから前側受け部３２内に挿入された後に、後側受け部３４の下側開口３４ｃから後側受け部３４内に挿入されて、後側受け部３４の内面に掛かる。例えば、前後の固定部が、後側固定部４４と同様の構成を有し、前後の受け部が、後側受け部３４と同様の構成を有する比較例が想定される。この比較例では、前側固定部の前側爪は、前側受け部の下側から前側受け部内に挿入される。このため、作業者は、受け皿４０を機械室２０の上壁２２とコンプレッサ６０の上面の間の空間に挿入した後に、前側固定部の前側爪の前後左右の位置を前側受け部の位置に合わせる必要がある。これに対して、本実施例の構成によれば、作業者は、受け皿４０を機械室２０の上壁２２とコンプレッサ６０の上面の間の空間に挿入する際に、前側受け部３２の後側開口３２ｃを見て、前側爪４２ａを後側開口３２ｃに挿入すればよい。比較例と比べて、作業負担を軽減することができる。
【００２７】
さらに、上記の比較例では、後側固定部４４が上壁２２に固定された後に、前側固定部が上壁２２に固定されるように構成することが可能である。この場合、前側固定部は、先に固定された後側固定部４４に遮られて、見ることが困難となる。作業者は、前側固定部の前側爪を前側受け部に挿入することが困難となる。これに対して、実施例の構成によれば、前側固定部４２が先に固定されるため、作業者は、前側爪４２ａを前側受け部３２に簡単に挿入することができる。比較例と比べて、作業負担を軽減することができる。
【００２８】
さらに、上記したように、受け皿４０は、難燃性の樹脂材料で作られている。これにより、機械室２０内で短絡等が発生した際の延焼を防止することができる。
【００２９】
（対応関係）
機械室２０、コンプレッサ６０、排水管１４、受け皿４０、前側固定部４２、後側固定部４４、上壁２２が、それぞれ、「機械室」、「コンプレッサ」、「排水経路」、「受け皿」、「前側固定部」、「後側固定部」、「上壁」の一例である。前側受け部３２、前側爪４２ａ、後側受け部３４、後側爪４４ａが、それぞれ、「前側受け部」、「前側爪」、「後側受け部」、「後側爪」の一例である。
【００３０】
（第２実施例）
図６を参照して、第２実施例の構成を説明する。本実施例は、受け皿１４０の構成が異なる点を除いて、第１実施例と同様である。図６は、図３と同様の方向から見た断面図である。図６の破線は、断面の位置が切り替わっていることを示す。破線より紙面左側では、断面は、受け皿１４０の中心を通過する。破線より紙面右側では、断面は、後側固定部１４４を通過する。
【００３１】
図６に示すように、受け皿１４０の後側固定部１４４と後側受け部１３４は、第１実施例の後側固定部４４と後側受け部３４と同様である。受け皿１４０の下外面にも、第１実施例と同様に、窪み１４０ｄが形成されている。また、図６に示すように、受け皿１４０の前側固定部１４２は、受け皿１４０の左右方向の中心における前側上部から前側に延びている。前側固定部１４２の前端には、下側に延びる前側爪１４２ａが形成されている。また、機械室２０の側壁２４の上側には、前側爪１４２ａを受ける前側受け部１３２が取り付けられている。前側受け部１３２の後側に形成されているリング１３２ａに前側爪１４２ａが掛かることにより、前側固定部１４２の前端が側壁２４に固定される。なお、前側受け部１３２の前側には、前側受け部１３２の前後のバランスを調整するためのアンカ部１３２ｂが形成されている。
【００３２】
前側受け部１３２は、側壁２４と上壁２２の間の湾曲部Ｒ１と側壁２４との境界の付近に取り付けられる。湾曲部Ｒ１は、機械室２０の内壁を加工する際に形成される。前側受け部１３２を湾曲部Ｒ１と側壁２４との境界の付近に取り付けることによって、前側受け部１３２を上壁２２の近くに配置することができる。これにより、作業者は、比較的手前側で前側固定部１４２の先端を機械室２０の側壁２４に固定させることができる。
【００３３】
受け皿１４０は、以下の手順によってコンプレッサ６０の上側に配置される。先ず、受け皿１４０は、機械室２０の後側から機械室２０の上壁２２とコンプレッサ６０の上面の間の空間に挿入される。この際、前側固定部１４２の前側爪１４２ａが前側受け部１３２のリング１３２ａに掛けられる。これにより、先ず、前側固定部１４２が側壁２４に固定される。そして、前側爪１４２ａが側壁２４に固定された後に、２個の後側固定部１４４のそれぞれについて、後側固定部１４４の後側爪１４４ａが後側受け部１３４の下側開口（符号省略）から挿入される。その後、後側爪１４４ａが後側受け部１３４の底面に係ることにより、２個の後側固定部１４４が上壁２２に固定される。
【００３４】
本実施例でも、第１実施例と同様に、受け皿４０が前側に傾くことを防止することができ、この結果、後側固定部４４が塑性変形することを防止することができる。受け皿１４０、前側固定部１４２が、それぞれ、「受け皿」、「前側固定部」の一例である。
【００３５】
（第３実施例）
図７から図１０を参照して、第３実施例の構成を説明する。本実施例は、前側固定部と後側固定部のそれぞれに上下の長さを調整するための調整部が備えられている点を除いて、第１実施例と同様である。前側固定部と後側固定部には、同様の調整部が備えられている。以下では、本実施例の受け皿２４０の前側固定部２４２に備えられている調整部について説明する。図７は、受け皿２４０を前側から見た平面図であり、図８は、前側固定部２４２の斜視図であり、図９は、前側固定部２４２の分解図であり、図１０は、図７の範囲Ｘにおける前側固定部２４２の前側から見た断面図である。
【００３６】
図７〜図９に示すように、前側固定部２４２は、固定部本体２５０と、固定部本体２５０を受け皿２４０の前面２４１に取り付けるための取り付け部２５２と、を備える。固定部本体２５０の上端には、前側爪２４２ａが形成されている。固定部本体２５０の前面には、溝２５０ａが設けられており、溝２５０ａの対向する両内面に上下に並ぶ複数の歯２５０ｂが形成されている。
【００３７】
図８、図９に示すように、固定部本体２５０は、受け皿２４０の前面２４１に設けられている溝２４１ａに挿入される。固定部本体２５０が溝２４１ａに挿入された状態で、取り付け部２５２を受け皿２４０の前面２４１に固定することによって、固定部本体２５０が前面２４１に固定される。具体的には、図１０に示すように、取り付け部２５２は、固定部本体２５０の溝２５０ａに挿入される挿入部２５２ａと、挿入部２５２ａの左右方向における両面に形成されている歯２５２ｂを備えている。挿入部２５２ａが溝２５０ａに挿入される際に、取り付け部２５２の歯２５２ｂが固定部本体２５０の複数の歯２５０ｂのうちの２個の歯の間に噛み合うことによって、固定部本体２５０が取り付け部２５２に固定される。そして、取り付け部２５２が、受け皿２４０の前面２４１に設けられている爪２４１ｂによって前面２４１に固定されることによって、取り付け部２５２及び固定部本体２５０が前面２４１に固定される。
【００３８】
前側固定部２４２の上下の長さは、歯２５２ｂが複数の歯２５０ｂのうちの上側の２個の歯の間に噛み合うことによって、短くなり、歯２５２ｂが複数の歯２５０ｂのうちの下側の２個の歯の間に噛み合うことによって、長くなる。即ち、固定部本体２５０及び取り付け部２５２は、前側固定部２４２の上下の長さを調整するための調整部として機能する。
【００３９】
本実施例の構成によれば、前側固定部２４２と後側固定部（符号省略）の上下の長さを調整して、受け皿２４０とコンプレッサ６０との間の隙間を適切な幅に調整することができる。例えば、機械室２０の上壁２２とコンプレッサ６０との間の隙間は、冷蔵庫のモデルによって異なる。固定部の上下の長さを調整可能な調整部を備えることによって、１種類の受け皿２４０で様々なモデルの冷蔵庫の製造に対応することができる。受け皿２４０が、「受け皿」の一例であり、固定部本体２５０及び取り付け部２５２が、「調整部」の一例である。
【００４０】
（変形例）
上記の各実施例の変形例を以下に記載する。各実施例において、受け皿（例えば受け皿４０）は、コンプレッサ６０の上側に配置されている。これに代えて、受け皿は、例えば、コンプレッサ６０の右側、左側、前側、又は、後側に配置されていてもよい。即ち、受け皿は、コンプレッサ６０の隣に配置されていればよい。
【００４１】
各実施例において、前側固定部（例えば前側固定部４２）は、機械室２０の内壁に固定されている。これに代えて、例えば、前側固定部は、機械室２０内に架け渡されている梁に固定されてもよい。後側固定部も、同様に、当該梁に固定されていてもよい。一般的に言えば、前側固定部（又は後側固定部）は、受け皿の前側（又は後側）を機械室内に固定するための部位である。また、第１実施例の前側受け部３２は、側壁２４と上壁２２の間の湾曲部Ｒ１に取り付けられてもよく、これに伴い、前側固定部４２が、湾曲部Ｒ１に向かって延びていてもよい。また、第１実施例の後側受け部３４は、上壁２２の後端から上へ延びる裏壁に取り付けられてもよく、これに伴い、後側固定部４４が、上壁２２を超えて裏壁まで延びていてもよい。
【００４２】
第１実施例では、前側固定部４２に前側爪４２ａが形成され、上壁２２に前側受け部３２が取り付けられる。これに代えて、前側固定部４２の上端に前側受け部が形成され、上壁２２に前側爪が取り付けられてもよい。後側についても、同様に、後側固定部４４の上端に後側受け部が形成され、上壁２２に後側爪が取り付けられてもよい。一般的に言えば、前側爪（又は後側爪）は、前側固定部（又は後側固定部）の上端と上壁の前側（又は後側）のうちの一方に設けられ、前側受け部（又は後側受け部）は、前側固定部（又は後側固定部）の上端と上壁の前側（又は後側）のうちの他方に設けられればよい。
【００４３】
第１実施例では、前側固定部４２は、前側爪４２ａと前側受け部３２によって上壁２２に固定される。これに代えて、前側固定部４２は、ネジ等の締結部材によって上壁２２に固定されてもよい。同様に、後側固定部４４も、当該締結部材によって上壁２２に固定されてもよい。
【００４４】
第１実施例では、受け皿４０は、２個の前側固定部４２を備えている。これに代えて、受け皿４０は、１個、又は、３個以上の前側固定部４２を備えていてもよい。同様に、受け皿４０は、１個、又は、３個以上の後側固定部４４を備えていてもよい。
【００４５】
第１実施例では、左側の後側固定部４４の後側爪４４ａが、右側に延び、右側の後側固定部４４の後側爪４４ａが、左側に延びている。これに代えて、左側の後側固定部４４の後側爪４４ａが、左側に延び、右側の後側固定部４４の後側爪４４ａが、右側に延びていてもよい。また、左側の後側固定部４４の後側爪４４ａと右側の後側固定部４４の後側爪４４ａの双方が前側又は後側の延びていてもよい。一般的に言えば、左右の後側固定部４４の後側爪４４ａは、水平方向に延びている。そして、左側の後側固定部４４の後側爪４４ａの延びる方向と右側の後側固定部４４の後側爪４４ａの延びる方向は、同じでもよいし、異なっていてもよい。
【００４６】
第１実施例において、前後の固定部が、後側固定部４４と同様の構成を有していてもよい。この場合、例えば、作業者は、後側爪４４ａを後側受け部３４の下側から後側受け部３４に挿入して後側固定部４４を上壁２２に固定した後に、前側爪を前側受け部の下側から前側受け部に挿入して前側固定部を上壁２２に固定してもよい。一般的に言えば、後側爪は、前側爪が前側受け部内に挿入される前に、後側受け部内に挿入されてもよい。
【００４７】
各実施例において、受け皿は、難燃性の樹脂材料以外の樹脂材料（例えば、ポリアミド）、鉄等の金属材料によって作られていてもよい。
【００４８】
「調整部」の構成は、第３実施例の構成に限らない。例えば、固定部本体に上下に並ぶ複数の孔が形成されており、ネジ等の締結部材を複数の孔のいずれかに通過させて固定部本体を受け皿２４０に固定することによって前側固定部の上下の長さを調整してもよい。本変形例では、複数の孔を備える固定部本体と締結部材が、「調整部」の一例である。
【００４９】
「調整部」は、前側固定部のみに備えられてもよいし、後側固定部のみに備えられてもよい。一般的に言えば、「調整部」は、前側固定部と後側固定部のうちの少なくとも一方の固定部に備えられていればよい。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１０      ：冷蔵庫
１２      ：冷凍室
１３      ：冷蔵室
１４      ：排水管
２０      ：機械室
２２      ：上壁
２２ａ    ：貫通孔
２４      ：側壁
３２      ：前側受け部
３２ａ    ：フランジ部
３２ｂ    ：凹部
３２ｃ    ：後側開口
３４      ：後側受け部
３４ａ    ：フランジ部
３４ｂ    ：凹部
３４ｃ    ：下側開口
４０      ：受け皿
４０ｄ    ：窪み
４２      ：前側固定部
４２ａ    ：前側爪
４４      ：後側固定部
４４ａ    ：後側爪
６０      ：コンプレッサ
１３２    ：前側受け部
１３２ａ  ：リング
１３２ｂ  ：アンカ部
１３４    ：後側受け部
１４０    ：受け皿
１４０ｄ  ：窪み
１４２    ：前側固定部
１４２ａ  ：前側爪
１４４    ：後側固定部
１４４ａ  ：後側爪
２４０    ：受け皿
２４１    ：前面
２４１ａ  ：溝
２４１ｂ  ：爪
２４２    ：前側固定部
２４２ａ  ：前側爪
２５０    ：固定部本体
２５０ａ  ：溝
２５０ｂ  ：歯
２５２    ：取り付け部
２５２ａ  ：挿入部
２５２ｂ  ：歯
【図１】
2020094723.tif 000003
【図２】
2020094723.tif 000004
【図３】
2020094723.tif 000005
【図４】
2020094723.tif 000006
【図５】
2020094723.tif 000007
【図６】
2020094723.tif 000008
【図７】
2020094723.tif 000009
【図８】
2020094723.tif 000010
【図９】
2020094723.tif 000011
【図１０】
2020094723.tif 000012